(57)【特許請求の範囲】
【請求項１】
リードイン領域に第１の管理情報を記録し、所定のトラックに第２の管理情報を記録したコンパクトディスクを再生するコンパクトディスク再生装置おいて、
上記コンパクトディスクに記録された信号を読み出して読出信号を生成する信号読出部と、
上記信号読出部で生成された読出信号を処理する信号処理部と、
操作部と、
上記信号処理部で読出信号を処理して得られた情報と上記操作部からの操作信号に基づいて再生動作を制御する制御部とを有し、
上記制御部では、上記第１の管理情報から得られたトラック数と上記第２の管理情報から得られたエントリー数を比較し、上記エントリー数が上記トラック数よりも大きいと共に所定の数よりも小さい場合には上記第２の管理情報から得られたエントリー情報に基づいて再生動作を行ない、他の場合には上記第１の管理情報から得られたトラック情報に基づいて再生動作を行なう
ことを特徴とするコンパクトディスク再生装置。
【請求項２】
上記操作部で所定の操作が行われた時に、上記制御部では、上記エントリー数が上記トラック数よりも大きいと共に所定の数よりも小さい場合には再生位置をエントリー単位で移動させるものとし、他の場合には再生位置をトラック単位で移動させる
ことを特徴とする請求項１記載のコンパクトディスク再生装置。
【発明の詳細な説明】
【０００１】
【発明の属する技術分野】
この発明はコンパクトディスク再生装置に関する。詳しくは、第１の管理情報から得られたトラック数と第２の管理情報から得られたエントリー数を比較し、エントリー数がトラック数よりも大きいと共に所定の数よりも小さい場合には、第２の管理情報から得られたエントリー情報に基づいて再生動作を行ない、その他の場合には、第１の管理情報から得られたトラック情報に基づいて再生動作を行なうことにより、例えば操作部の所定のキー操作で異なる再生動作を行うことができるものである。
【０００２】
【従来の技術】
信号の記録媒体であるコンパクトディスクでは、音声が記録情報として記録されたコンパクトディスク（以下「ＣＤ−ＤＡ」という）、音声や静止画等の情報が記録されてインタラクティブに使用することができるコンパクトディスク（以下「ＣＤ−Ｉ」という）、コンピュータデータが記録されたコンパクトディスク（以下「ＣＤ−ＲＯＭ」という）、また音声と動画が圧縮されて記録されたコンパクトディスク（以下「ＶｉｄｅｏーＣＤ」という）などが規格化されている。
【０００３】
【発明が解決しようとする課題】
ところで、コンパクトディスクのリードイン領域にはトラック情報が記録されており、Ｖｉｄｅｏ−ＣＤのバージョン１．１では、リードイン領域の外周側のトラックに、動画や音声データのスタート位置を示すエントリー情報が記録される。なお、このエントリー情報は、１トラックに対して最大「９９」、１ディスクに対して最大「５００」が設定可能とされている。
【０００４】
ここで、トラック情報に基づいてトラック単位でスキップ動作を行うための操作キーと、エントリー情報に基づいてエントリー単位でスキップ動作を行うための操作キーを個々に有するものとすると、操作キーの数が増加してしまい操作が煩雑となってしまう。またエントリー情報が記録されていないコンパクトディスクを再生する場合には、エントリー単位でスキップ動作を行うための操作キーが不要となってしまう。
【０００５】
そこで、この発明では、操作キーを共用して異なる再生動作を効率よく行うことができるコンパクトディスク再生装置を提供するものである。
【０００６】
【課題を解決するための手段】
この発明に係るコンパクトディスク再生装置は、リードイン領域に第１の管理情報を記録し、所定のトラックに第２の管理情報を記録したコンパクトディスクを再生するものであって、コンパクトディスクに記録された信号を読み出して読出信号を生成する信号読出部と、信号読出部で生成された読出信号を処理する信号処理部と、操作部と、信号処理部で読出信号を処理して得られた情報と操作部からの操作信号に基づいて再生動作を制御する制御部とを有し、制御部では、第１の管理情報から得られたトラック数と第２の管理情報から得られたエントリー数を比較し、エントリー数がトラック数よりも大きいと共に所定の数よりも小さい場合には、第２の管理情報から得られたエントリー情報に基づいて再生動作を行ない、その他の場合には、第１の管理情報から得られたトラック情報に基づいて再生動作を行なうものである。
【０００７】
また、操作部で所定の操作が行われた時に、制御部では、エントリー数がトラック数よりも大きいと共に所定の数よりも小さい場合には、再生位置をエントリー単位で移動させるものとし、その他の場合には、再生位置をトラック単位で移動させるものである。
【０００８】
この発明においては、第１の管理情報から得られたトラック数と第２の管理情報から得られたエントリー数が比較されて、エントリー数がトラック数よりも大きいと共に所定の数よりも小さい場合に、例えば操作部で所定の操作キーが操作されたときには、第２の管理情報から得られたエントリー情報に基づいてエントリー単位でのスキップ動作によって再生位置の移動が行われる。また、他の場合には第１の管理情報から得られたトラック情報に基づいてトラック単位でのスキップ動作によって再生位置の移動が行われる。
【０００９】
【発明の実施の形態】
以下、図を参照しながら、この発明について詳細に説明する。
図１は記録媒体再生装置であるコンパクトディスク再生装置の構成の一部を示しており、ＣＤ−ＤＡ、ＣＤ−Ｉ、ＣＤ−ＲＯＭ、ＶｉｄｅｏーＣＤ等のコンパクトディスクを再生できるものである。
【００１０】
図１において、コンパクトディスク１０には、信号読出部１５の光ヘッド（図示せず）からレーザ光が照射される。また、信号読出部１５ではコンパクトディスク１０からの反射光に基づき読出信号ＲＦが生成されて信号処理部２０に供給される。なお、信号読出部１５では、後述する制御部９０からの制御信号ＣＳに基づいてコンパクトディスク１０の再生位置が制御される。
【００１１】
ＣＤ信号処理部２０では、信号読出部１５から供給された読出信号ＲＦがＥＦＭ復調される。このＥＦＭ復調によって得られたデータは元の順番に整列されると共にエラー訂正が行われてデータ信号ＲＤＡとされる。また、コンパクトディスク１０のリードイン領域に記録されているディスク情報を示す信号ＤＳが、マイクロコンピュータを用いて構成された制御部９０に供給されることにより、制御部９０でコンパクトディスク１０の種類が判別される。ここで、コンパクトディスク１０がＣＤーＤＡと判別されたときには、制御部９０から供給された制御信号ＣＳに基づいてデータ信号ＲＤＡが再生信号としてＤ／Ａコンバータ２５に供給されてアナログの音声信号ＳＡＡに変換されて出力される。
【００１２】
また、コンパクトディスク１０がＣＤーＤＡでないと判別されたときには、データ信号ＲＤＡがＣＤ−ＲＯＭ信号処理部３０に供給される。このＣＤ−ＲＯＭ信号処理部３０では、ＣＤ信号処理部２０から供給されたデータ信号ＲＤＡが再び整列しなおされると共に誤り検出，訂正が行われてデータ信号ＲＤＢとされる。
【００１３】
ここで、コンパクトディスク１０がＣＤ−ＲＯＭと判別されたときには、制御部９０からの制御信号ＣＳに基づきデータ信号ＲＤＢが再生信号としてインターフェース部３５に供給されて、インタフェース部３５を介して再生データ信号ＤＴとして出力される。またコンパクトディスク１０がＣＤ−Ｉと判別されたときには、データ信号ＲＤＢが再生信号として画像音声再生部４０に供給される。この画像音声再生部４０では、データ信号ＲＤＢに基づいて画像信号ＳＶＢと音声信号ＳＡＢが生成されて出力される。
【００１４】
コンパクトディスク１０が符号化された信号を記録したＣＤ−Ｉ、あるいはＶｉｄｅｏーＣＤと判別されたときには、ＣＤ−ＲＯＭ信号処理部３０で生成されたデータ信号ＲＤＢがＭＰＥＧデコーダ部５０に供給される。
【００１５】
ＭＰＥＧデコーダ部５０には動き補償用メモリ部５５が接続されており、この動き補償用メモリ部５５を用いてデータ信号ＲＤＢの復号化が行われる。なお、ＭＰＥＧデコーダ部５０も制御部９０からの制御信号ＣＳに基づいて動作が制御される。このＭＰＥＧデコーダ部５０で得られた画像データ信号ＶＤおよび音声データ信号ＡＤは再生信号としてビデオエンコーダ部６０とＤ／Ａコンバータ６５に供給される。このビデオエンコーダ部６０では、画像データ信号ＶＤに基づき複合映像信号ＳＶＣが生成されて出力される。Ｄ／Ａコンバータ６５では、音声データ信号ＡＤがアナログの音声信号ＳＡＣとされて出力される。
【００１６】
なお、制御部９０には操作部９５が接続されており、操作部９５の操作に応じて操作信号ＳＳが制御部９０に供給される。制御部９０では、この操作信号ＳＳに基づいても制御信号ＣＳが生成される。また制御部９０にはメモリ部９８が接続されており、このメモリ部９８を利用してコンパクトディスク再生装置の再生動作の制御が行われる。
【００１７】
次に、制御部９０よるコンパクトディスク１０の種類の判別動作について説明する。コンパクトディスク１０のリードイン領域から読み出されたサブコードは、９８フレーム分で一つの情報単位が構成されている。この９８フレームの最初の２フレームは同期信号であり、残りの９６フレームで情報が示される。このサブコードのＱチャネル（以下「サブコードＱ」という）は、規格によって図２に示すような構成とされている。
【００１８】
図２において、サブコードＱのコントロール（Q0〜Q3）では、記録されている信号が音声かデータかを判別する情報、音声のチャネル数を判別する情報、エンファシスの有無を判別する情報が示される。また、アドレス（Q4〜Q7）が「（０００１）2」である時、ＴＮＯ（Q8〜Q15）でトラック番号が示される。
【００１９】
ここで、例えば２チャネルの音声が記録されたＣＤ−ＤＡでは、コントロール＝（００ｘｘ）2とされる。なお、「ｘ」はデータが「０」「１」のいずれかの場合を示している。またアドレスが（０００１）2であると共に、リードイン領域でＴＮＯ（Q8〜Q15）＝（００）16であるとき、ＰＯＩＮＴ（Q16〜Q23）＝（Ａ０）16でのＰＳＥＣ（Q64〜Q71）は（００）16とされる。
【００２０】
ＣＤ−Ｉでは、コントロール＝（０ｘｘ０）2とされる。またアドレスが（０００１）2であると共に、リードイン領域でＴＮＯ＝（００）16であるとき、ＰＯＩＮＴ＝（Ａ０）16でのＰＳＥＣ（Q64〜Q71）は（１０）16とされる。
【００２１】
ＣＤ−ＲＯＭでは、コントロール＝（０１ｘ０）2とされる。またアドレスが（０００１）2であると共に、リードイン領域でＴＮＯ＝（００）16とされたとき、ＰＯＩＮＴ＝（Ａ０）16でのＰＳＥＣ（Q64〜Q71）は（００）16とされる。
【００２２】
さらに、ＶｉｄｅｏーＣＤでは、コントロール＝（０ｘｘ０）2とされる。またアドレスが（０００１）2であると共に、リードイン領域でＴＮＯ＝（００）16であるとき、ＰＯＩＮＴ＝（Ａ０）16でのＰＳＥＣ（Q64〜Q71）は（２０）16とされる。なお、データ（Q8〜Q79）に続くＣＲＣ（Q80〜Q95）は、誤り検出訂正用のデータである。
【００２３】
このため、コンパクトディスク１０がコンパクトディスク再生装置に装着されたときには、リードイン領域から信号の読み出しが行われると共に、得られたサブコードＱのデータを利用して制御部９０でコンパクトディスク１０の判別が行われる。
【００２４】
次に、図３および図４のフローチャートを使用してサブコードＱを利用したコンパクトディスク１０の判別動作について説明する。図３のステップＳＴ１では、ＰＯＩＮＴ＝（Ａ０）16でのＰＳＥＣが（００）16であるか否かが判別される。ここで、ＰＳＥＣ＝（００）16であるときにはステップＳＴ２に進み、ＰＳＥＣ＝（００）16でないときにはステップＳＴ５に進む。
【００２５】
ステップＳＴ２では、コントロール＝（０１ｘ０）2であるか否かが判別される。ここで、コントロール＝（０１ｘ０）2でないときにはステップＳＴ３に進み、コンパクトディスク１０がＣＤ−ＤＡであると判別されてリードイン領域に記録されたＴＯＣ情報に基づいて再生動作が行われる。コントロール＝（０１ｘ０）2であるときにはステップＳＴ４に進み、コンパクトディスク１０がＣＤ−ＲＯＭであると判別されて再生動作が行われる。
【００２６】
ステップＳＴ５では、ＰＯＩＮＴ＝（Ａ０）16でのＰＳＥＣが（１０）16であるか否かが判別される。ここで、ＰＳＥＣ＝（１０）16であるときにはステップＳＴ６に進み、ＰＳＥＣ＝（１０）16でないときにはステップＳＴ９に進む。
【００２７】
ステップＳＴ６では、コンパクトディスク１０がＣＤ−Ｉであると判別される。このＣＤ−Ｉでは、リードイン領域の外周側の所定位置（フレーム００：０２：１６）から形成されたＰＶＤ（Primary Volume Descriptor）部に、コンパクトディスクの基本となる情報、例えば図５に示すようにVolume Descriptorのタイプやバージョン、静止画や動画や音声等の信号が記録されたファイルの先頭を示すパステーブル(Path Table)のデータサイズやパステーブルのデータの記録位置を示すアドレスＬ．ＰＡＴＨあるいはアドレスＭ．ＰＡＴＨ等が記録されている。ここで、パステーブルのアドレスが検出されると、ステップＳＴ６からステップＳＴ７に進む。
【００２８】
ステップＳＴ７では検出されたアドレスを用いて画像や音声等の信号が記録されたファイルの記録開始位置が判別されると共に、判別された記録開始位置に基づいてコンパクトディスク１０の再生が行われる。ここで、ＭＰＥＧ(moving picture coding experts group)デコーダ部５０でＭＰＥＧデータであることを示すシーケンスヘッダの開始コードが検出されたか否かが判別される。ＭＰＥＧデコーダ部５０でシーケンスヘッダの開始コードが検出されないときには、ステップＳＴ８に進み、コンパクトディスク１０がディジタル動画が記録されていないＣＤ−Ｉであると判別されてＣＤ−Ｉとして再生動作が行われる。また、シーケンスヘッダＳＨの開始コードが検出されたときには、動画や音声の信号を圧縮して記録したＣＤ−Ｉ（以下「ＣＤ−Ｉ／ＤＶ」という）であると判別されて図４のステップＳＴ１５に進む。
【００２９】
ステップＳＴ５でＰＳＥＣ＝（１０）16でないときには、ステップＳＴ９に進み、ステップＳＴ９でＰＯＩＮＴ＝（Ａ０）16でのＰＳＥＣが（２０）2であるか否かが判別される。ここで、ＰＳＥＣ＝（２０）2であるときには、ＶｉｄｅｏーＣＤであると判断されて図４のステップＳＴ１０に進む。また、ＰＳＥＣ＝（２０）16でないときには、コンパクトディスク１０がＣＤ−ＤＡ、ＣＤ−ＲＯＭ、ＣＤ−Ｉ、ＶｉｄｅｏーＣＤでないと判断されて動作が終了される。
【００３０】
ステップＳＴ１０では、Ｖｉｄｅｏ−ＣＤのバージョンが判別される。このＶｉｄｅｏ−ＣＤでは、図６に示すように第１の管理情報であるＴＯＣ情報が記録されたリードイン領域の外周側のトラック１には、第２の管理情報が記録されるＰＶＤ部やビデオＣＤインフォメーション部が形成される。また、トラック１には、カラオケインフォメーション部やセグメントプレイ部およびＣＤ−Ｉアプリケーション部等が形成される。さらにトラック１よりも外周側のトラック２以降の領域には、動画や音声の信号が圧縮して記録される。なお、トラック１は、ＣＤ−ＲＯＭ ＸＡ(CD-ROM Extended Architecture)のＭＯＤＥ２，ＦＯＲＭ１の仕様に準拠しており、トラック２以降はＣＤ−ＲＯＭ ＸＡ(CD-ROM Extended Architecture)のＭＯＤＥ２，ＦＯＲＭ２の仕様に準拠するものとされている。
【００３１】
トラック１のビデオＣＤインフォメーション部は、例えばＶｉｄｅｏ−ＣＤのバージョン２．０では１セクタ（ユーザーデータ２Ｋバイト）のインフォメーション（以下「ＩＮＦＯ．ＶＣＤ」という）と１セクタのエントリー（以下「ＥＮＴＲＩＥＳ．ＶＣＤ」という）、３２セクタのリストＩＤオフセットテーブル（以下「ＬＯＴ．ＶＣＤ」という）、最大２５６セクタのプレイバックコントロール（以下「ＰＳＤ．ＶＣＤ」という）で構成される。
【００３２】
このＩＮＦＯ．ＶＣＤには、ディスクに関する情報が記録される。ＥＮＴＲＩＥＳ．ＶＣＤには、トラック２以降のトラックに記録されている動画や音声のデータの再生位置を示すエントリー番号が記録される。このエントリー数は、１トラックに対して最大９９個設定することができるものである。ＬＯＴ．ＶＣＤやＰＳＤ．ＶＣＤには、コンパクトディスクの再生動作で使用される情報が記録される。
【００３３】
バージョン２．０よりも前の規格であるバージョン１．１では、ＩＮＦＯ．ＶＣＤとＥＮＴＲＩＥＳ．ＶＣＤでビデオＣＤインフォメーション部が構成される。また、バージョン１．１よりも更に前の規格であるバージョン０．９やバージョン１．０のＶｉｄｅｏ−ＣＤでは、ＣＤ−ＤＡと同様なファイル構成とされている。
【００３４】
このステップＳＴ１０で、ビデオＣＤインフォメーション部のＩＮＦＯ．ＶＣＤの情報からコンパクトディスク１０がＶｉｄｅｏ−ＣＤのバージョン２．０であると判別されたときには、ステップＳＴ１１に進み、バージョン２．０でないときにはステップＳＴ１２に進む。
【００３５】
ステップＳＴ１１では、ビデオＣＤインフォメーション部のＥＮＴＲＩＥＳ．ＶＣＤやＰＳＤ．ＶＣＤ等の情報に基づいてＶｉｄｅｏ−ＣＤの再生が行われる。
【００３６】
ステップＳＴ１２では、ＩＮＦＯ．ＶＣＤの情報からコンパクトディスク１０がＶｉｄｅｏ−ＣＤのバージョン１．１であるか否かが判別される。ここで、バージョン１．１であると判別されたときには、ステップＳＴ１３に進み、バージョン１．１でないと判別されたときには、ステップＳＴ１４に進む。
【００３７】
ステップＳＴ１３では、ビデオＣＤインフォメーション部のＥＮＴＲＩＥＳ．ＶＣＤの情報等に基づいてＶｉｄｅｏ−ＣＤの再生が行われる。また、ステップＳＴ１４では、ＴＯＣ情報に基づきＶｉｄｅｏ−ＣＤの再生が行われる。
【００３８】
次に、図７および図８を使用してＶｉｄｅｏ−ＣＤのバージョン２．０の再生動作を説明する。図７のステップＳＴ２１では、図１に示す動き補償用メモリ部５５とメモリ部９８が初期設定される。この動き補償用メモリ部５５には例えば図８Ａに示すように所定の容量のユーザー領域５５ａが設けられている。またメモリ部９８のメモリ容量は例えば８Ｋバイトとされる。ここで、動き補償用メモリ部５５のユーザー領域５５ａには、コンパクトディスク１０からビデオＣＤインフォメーション部のＩＮＦＯ．ＶＣＤ、ＥＮＴＲＩＥＳ．ＶＣＤのデータが読み込まれる。なお、動き補償用メモリ部５５の領域５５ｂは、ＭＰＥＧデコーダ部５０の信号復号化処理で使用される。
【００３９】
ユーザー領域５５ａのＩＮＦＯ．ＶＣＤとＥＮＴＲＩＥＳ．ＶＣＤは制御部９０に供給されて、１セクタ（２Ｋバイト）のＩＮＦＯ．ＶＣＤから必要な情報や図６に示すセグメントプレイ部の静止画に関する情報等が選択されて、図８Ｂに示すようにメモリ部９８の領域９８ａに制御情報として記憶される。また１セクタのＥＮＴＲＩＥＳ．ＶＣＤもメモり部９８の領域９８ａに制御情報として記憶される。なお、ＴＯＣ情報は図１に示す制御部９０の内部メモリ（図示せず）に記憶される。
【００４０】
次に、ステップＳＴ２２では、ＬＯＴ．ＶＣＤのデータが読み出されて動き補償メモリ部５５のユーザー領域５５ａに記憶される。このＬＯＴ．ＶＣＤには、再生動作手順やメニュー再生手順を示すＰＳＤ．ＶＣＤのアドレスが記憶されており、読み出されたＬＯＴ．ＶＣＤに基づいてＰＳＤ．ＶＣＤのデータもコンパクトディスク１０から読み出されて動き補償メモリ部５５のユーザー領域５５ａに記憶されてステップＳＴ２３に進む。なお、ＬＯＴ．ＶＣＤのデータ量が大きい時には、ＬＯＴ．ＶＣＤとＰＳＤ．ＶＣＤの一部のデータが動き補償メモリ部５５のユーザー領域５５ａに記憶され、ＬＯＴ．ＶＣＤのデータ量が小さい時には、ＬＯＴ．ＶＣＤのすべてのデータとＰＳＤ．ＶＣＤの一部のデータが動き補償メモリ部５５のユーザー領域５５ａに記憶される。
【００４１】
ステップＳＴ２３では、動き補償メモリ部５５に記憶されたＬＯＴ．ＶＣＤやＰＳＤ．ＶＣＤの情報が制御部９０を介してメモリ部９８の領域９８ｂに動作設定情報として記憶される。また、動き補償メモリ部５５のユーザー領域５５ａに記憶されていたＬＯＴ．ＶＣＤやＰＳＤ．ＶＣＤのデータがメモリ部９８に記憶されると、動き補償メモリ部５５のユーザー領域５５ａには、メモリ部９８に記憶されていない新たなＰＳＤ．ＶＣＤ等のデータが記憶されてステップＳＴ２４に進む。
【００４２】
ステップＳＴ２４では、メモリ部９８に記憶されたデータの情報に基づいて再生動作が行われてステップＳＴ２５に進む。
【００４３】
ステップＳＴ２５では、動作の終了を示すエンドリストが検出されたか否かが判別される。ここで、エンドリストが検出されたときには再生動作が終了される。またエンドリストが検出されない時には、ステップＳＴ２６に進む。
【００４４】
ステップＳＴ２６では、再生動作を継続したり操作部９５の操作に応じた処理を行うための情報がメモリ部９８の領域９８ｂに記憶されているか否かが判別される。ここで、情報がメモリ部９８の領域９８ｂに記憶されている場合には、ステップＳＴ２４に戻り再生処理が行われる。また情報が記憶されていない場合には、ステップＳＴ２７に進む。
【００４５】
ステップＳＴ２７では、必要とされる所望の情報を示すＬＯＴ．ＶＣＤやＰＳＤ．ＶＣＤが動き補償用メモリ部５５のユーザー領域５５ａに記憶されているときには、動き補償用メモリ部５５のデータがメモリ部９８の領域９８ｂに記憶される。また動き補償用メモリ部５５に記憶されていないときには、コンパクトディスク１０から必要とされる情報を示すＬＯＴ．ＶＣＤやＰＳＤ．ＶＣＤのデータが読み出されてメモリ部９８の領域９８ｂに記憶されて、領域９８ｂのデータが更新されてステップＳＴ２４に戻り再生処理が行われる。
【００４６】
このように、所定の容量のメモリ部９８に記憶された情報を用いて再生処理が行われると共に、必要とされる情報が記憶されていない場合には、動き補償用メモリ部５５やコンパクトディスク１０から必要とされる情報がメモリ部９８に記憶されて再生処理が行われる。このため、ＩＮＦＯ．ＶＣＤ、ＥＮＴＲＩＥＳ．ＶＣＤ、ＬＯＴ．ＶＣＤ、ＰＳＤ．ＶＣＤのデータを、その都度、ＶｉｄｅＯ−ＣＤから読み出す必要がなく高速に再生処理を行うことができる。また、ＩＮＦＯ．ＶＣＤ、ＥＮＴＲＩＥＳ．ＶＣＤ、ＬＯＴ．ＶＣＤ、ＰＳＤ．ＶＣＤのデータをすべてメモり部９８に記憶させるものでないために、記憶容量の少ない安価なメモリをメモリ部９８に用いることができる。
【００４７】
ところで、ＰＳＤ．ＶＣＤには所定の順序で再生を行うためのプレイリストやメニュー再生を行うためのセレクションリストが記録されており、メモリ部９８の領域９８ｂに記憶されたＰＳＤ．ＶＣＤからセレクションリストが選択された場合、例えば図１に示す操作部９５のＰＲＥＶＩＯＵＳキーとして機能する「ＲＥＶキー」を操作すると前のメニュー画面に戻り、ＮＥＸＴキーとして機能する「ＦＦキー」を操作すると次のメニュー画面に進む。ＲＥＴＵＲＮキーとして機能する「停止キー」が操作されると最初のメニュー画面に戻り、ＳＥＬＥＣＴキーとして機能する「再生キー」が操作されると最初のメニュー画面から再生が開始される。ここで、メニュー画面に応じて「数字キー」が操作されると、操作されたキーに応じてＰＳＤ．ＶＣＤの情報が選択されて再生動作が開始される。
【００４８】
このＰＳＤ．ＶＣＤに記録されているプレイリストやセレクションリストでは、プレイアイテム番号（以下「ＰＩＮ(Play Item Number)」という）を有しており、ＰＩＮの値に応じて図９に示すように再生位置が設定される。
【００４９】
図９において、ＰＩＮ＝「０又は１」である時にはＰＩＮの値が無効とされて再生が行われない。ＰＩＮ＝「２〜９９」である時にはＰＩＮの値がトラック番号を示すものとされてＰＩＮで示されたトラック番号の位置の信号が再生される。ＰＩＮ＝「１００〜５９９」である時には「ＰＩＮ−９９」の値がビデオＣＤインフォメーション部のＥＮＴＲＩＥＳ．ＶＣＤに記録されたエントリー番号を示すものとされて、このＰＩＮに基づくエントリー番号で示された位置の信号が再生される。またＰＩＮ＝「１０００〜２９７９」である時には、「ＰＩＮ−９９９」の値がセグメントプレイアイテム番号を示すものとされて、式（１）に基づきセグメントプレイアイテム番号の絶対時間ＴSPが算出される。
ＴSP＝プレイアイテムのスタートセクタの絶対時間＋（セグメントプレイアイテム番号−１）×２秒    ・・・式（１）
【００５０】
例えばＰＩＮが「１００２」であり、プレイアイテムのスタートセクタの絶対時間が「５秒０フレーム」（なお、１秒＝７５フレームとする）であるとき、セグメントプレイアイテム番号は「３」で絶対時間は「９秒０フレーム」とされる。このため、信号読出部１５の光ヘッドが絶対時間「９秒０フレーム」の位置に移動されて信号の再生が行われる。
【００５１】
なお、メモリ部９８の領域９８ｂに記憶されたＰＳＤ．ＶＣＤのプレイリストに基づいて再生が行われているときに、「ＦＦキー」や「ＲＥＶキー」が操作されると、ＰＩＮが変更されて再生位置が変更される。
【００５２】
次に、Ｖｉｄｅｏ−ＣＤのバージョン１．１の再生動作を説明する。ＴＯＣ情報に基づいて得られたＶｉｄｅｏ−ＣＤの最初のトラック番号を「ＦＴＮ」とし、最後のトラック番号を「ＬＴＮ」としたとき、式（２）で得られたトラック数ＲＴがビデオＣＤインフォメーション部のＥＮＴＯＲＩＥＳ．ＶＣＤのエントリー数よりも小さく、エントリー数が９９個以下である時には、エントリー番号が再生開始位置を示すものとされる。また、その他の場合には、トラック番号が再生開始位置を示すものとされる。
ＲＴ＝ＬＴＮ−ＦＴＮ＋１  ・・・式（２）
【００５３】
このため、図１０に示すように、トラック数ＲＴがエントリー数よりも小さく、エントリー数が９９個以下である時に、例えば操作部９５の所定のキー操作でスキップ動作をさせたときには、エントリー単位でスキップ動作が行われ、その他の場合には、トラック単位でスキップ動作が行われる。
【００５４】
このように、エントリー数がトラック数よりも大きいと共に所定の数（本例においては「９９」）以下である場合には、エントリー単位で再生位置の移動が行われるので、トラック単位の移動の場合よりもさらに細かく再生位置を移動させることができる。
【００５５】
さらに、トラック数とエントリー数に応じて例えばスキップ動作がトラック単位あるいはエントリー単位でのスキップ動作に自動的に切り替えられるので、エントリ情報が記録されているコンパクトディスクを再生する場合、エントリー単位でのスキップ動作を行うための操作キーを、トラック単位でのスキップ動作を行うための操作キーと別個に設ける必要がなく、少ない操作キーで異なる再生動作を効率よく行うことができる。
【００５６】
Ｖｉｄｅｏ−ＣＤのバージョン０．９あるいは１．０では、ＣＤ−ＤＡと同様にＴＯＣ情報に基づいて再生動作が行われる。
【００５７】
このように、コンパクトディスクに記録されたサブコード情報を利用して制御部９０でコンパクトディスクの種類が例えばＣＤ−ＤＡ、ＣＤ−ＲＯＭ、ＣＤ−Ｉ、Ｖｉｄｅｏ−ＣＤであるか判別される。また、Ｖｉｄｅｏ−ＣＤに記録されたＩＮＦＯ．ＶＣＤに基づいてＶｉｄｅｏ−ＣＤのバージョンが判別されて、判別されたディスクに応じて信号の再生処理が行われるので、種類の異なるコンパクトディスクを１つのコンパクトディスク再生装置で再生することができる。
【００５８】
ところで、例えば動画や音声の信号が圧縮されて１つのトラックに記録されていると共にエントリー情報等が設定されていないコンパクトディスク（例えばＣＤ−Ｉ／ＤＶ）では、トラックやエントリーの情報を利用してスキップ動作等を行うことが出来ない。このため、１つのトラックに区分点を設け、この区分点を利用して１つのトラックを複数の疑似トラックに分割し、この疑似トラックを用いてスキップ動作等が行われる。
【００５９】
この場合、ＴＯＣ情報等に基づき図１１に示すように動画や音声の信号が圧縮されて記録されたトラック２の開始時間ＴＳと終了時間ＴＥからこのトラックの記録時間ＴＷの算出が行われる。次に、記録時間ＴＷを分割する区分点が設定されてトラック２が複数の疑似トラックに分割される。
【００６０】
ここで、疑似トラック数をＮ、疑似トラック番号をＭｘ（ｘ＝１〜Ｎ）、疑似トラック開始時間をＴＭｘ（ｘ＝１〜Ｎ）とすると、区分点である疑似トラック開始時間ＴＭｘは式（３）に基づいて算出される。
【００６１】
【数１】
0003541564.tif 000002
【００６２】
この式（３）によって、１つのトラックであるトラック２が複数の疑似トラックに分割される。
【００６３】
また、１つの疑似トラック当たりの時間ＴＦは式（４）で算出することができる。
ＴＦ＝（ＴＥ−ＴＳ）／Ｎ    ・・・式（４）
【００６４】
さらに、サブコードＱより得られる絶対時間をＴＣとすると、疑似絶対時間ＴＤは式（５）で算出することができると共に、この疑似絶対時間ＴＤから式（６）によって疑似トラック番号Ｍｘを算出することができる。
ＴＤ＝ＴＣ−ＴＳ            ・・・式（５）
Ｍｘ＝（ＴＤ／ＴＦ）＋１    ・・・式（６）
【００６５】
また疑似トラックの相対時間ＴＲは、疑似絶対時間ＴＤを１つの疑似トラック当たりの時間ＴＦで除算したときの余りとして算出される。
【００６６】
なお、疑似トラック番号や疑似トラック開始時間等の情報は、例えばコンパクトディスク１０の再生動作開始前に生成されると共に制御部９０のメモリ（図示せず）に記憶されて、このメモリに記憶された情報を用いて疑似トラック間でのスキップ動作等が行われる。
【００６７】
このように、圧縮された動画や音声のデータが１つのトラックに記録されている場合であっても、１つのトラックが複数の疑似トラックに分割されて、この疑似トラックの情報を用いることにより、例えば映画等を鑑賞する場合に容易に所望の位置から再生することができる。また、疑似トラックを用いた再生動作時には、表示される時間も疑似トラックに対応した相対時間が表示されて操作性を向上させることができる。
【００６８】
なお、上述の実施の形態では、コンパクトディスク再生装置で、ＣＤ−ＤＡ、ＣＤ−Ｉ、ＣＤ−ＲＯＭ、ＶＩＤＥＯ−ＣＤを判別し、判別された種類に応じて再生処理を行うものとしたが、コンパクトディスクの判別を実施して所望のディスクだけを再生してもよいことは勿論である。
【００６９】
また、メモリ部９８には、再生動作を設定する情報や設定された再生動作を行うための情報であれば、ＶＩＤＥＯ−ＣＤのビデオＣＤインフォメーション部の信号に限られるものでなく、記録媒体がコンパクトディスクとは異なるものであるときには、この記録媒体を再生するための情報を記憶するものとしてもよい。
【００７０】
さらに、コンパクトディスクのトラックを複数の疑似トラックに分割するだけでなく、他の記録媒体のトラックも同様にして容易に複数の疑似トラックに分割することができる。
【００７１】
【発明の効果】
この発明によれば、第１の管理情報から得られたトラック数と第２の管理情報から得られたエントリー数が比較されて、例えば操作部で所定の操作に対応してエントリー数がトラック数よりも大きいと共に所定の数よりも小さい場合に、エントリー情報に基づいて再生位置の移動が行われ、他の場合にはトラック情報に基づいて再生位置の移動が行われる。
【００７２】
このように、エントリー数がトラック数よりも大きいと共に所定の数よりも小さい場合には、エントリー情報に基づいて再生位置の移動が行われるので、トラック情報に基づく移動の場合よりもさらに細かく再生位置を移動させることができる。
【００７３】
また、例えばエントリー情報が記録されていないコンパクトディスクを再生する場合、不要とされるエントリー単位でスキップ動作を行うための操作キーを、トラック単位でのスキップ動作を行うための操作キーと別個に設ける必要がなく、少ない操作キーで異なる再生動作を効率よく行うことができる。
【図面の簡単な説明】
【図１】コンパクトディスク再生装置の構成を示す図である。
【図２】コンパクトディスク１０の種類とサブコードのＱチャネルの関係を示す図である。
【図３】コンパクトディスク１０の判別動作（その１）を示すフローチャートである。
【図４】コンパクトディスク１０の判別動作（その２）を示すフローチャートである。
【図５】Ｖｏｌｕｍｅ  Ｄｅｓｃｒｉｐｔｏｒの内容の一部を示す図である。
【図６】Ｖｉｄｅｏ−ＣＤのバージョン２．０のファイル構成を示す図である。
【図７】Ｖｉｄｅｏ−ＣＤのバージョン２．０の再生動作を示すフローチャートである。
【図８】動き補償用メモリ部５５とメモリ部９８の構成を示す図である。
【図９】プレイアイテム番号を示す図である。
【図１０】トラック数およびエントリー数に対するスキップ動作を示す図である。
【図１１】疑似トラックを説明するための図である。
【符号の説明】
１０  コンパクトディスク
１５  信号読出部
２０  ＣＤ信号処理部
２５，６５  Ｄ／Ａコンバータ
３０  ＣＤ−ＲＯＭ信号処理部
３５  インタフェース部
４０  画像音声再生部
５０  ＭＰＥＧデコーダ部
５５  動き補償用メモリ部
６０  ビデオエンコーダ部
９０  制御部
９５  操作部
９８  メモリ部
【図１】
0003541564.tif 000003
【図２】
0003541564.tif 000004
【図３】
0003541564.tif 000005
【図４】
0003541564.tif 000006
【図５】
0003541564.tif 000007
【図６】
0003541564.tif 000008
【図７】
0003541564.tif 000009
【図８】
0003541564.tif 000010
【図９】
0003541564.tif 000011
【図１０】
0003541564.tif 000012
【図１１】
0003541564.tif 000013